(57)【要約】  設置工数を増加させず、展開後のエアバッグを効果的に保持して、当該エアバッグの座席から離れる方向への回転を抑制する。  例えば、座席Ｓの背もたれ部ＳＢの内部に設置されるサイドエアバッグ装置１で、エアバッグ２と、エアバッグ２の内部に設けられるインフレータ３と、テザー４と、ブラケット５を有する。エアバッグ２は、基端側２ａがシートバックフレームＳＢＦに取り付けられ、先端側が背もたれ部ＳＢから遠ざかる第１方向に展開する。テザー４は、シートバックフレームＳＢＦに取り付けられる一端４ａと、展開状態におけるエアバッグ２の外側表面上の前記第１方向に向かって延びてエアバッグ２の先端側２ｂの部分に取り付けられる他端を備える。ブラケット５は、シートバックフレームＳＢＦに取付けられ、テザー４の延びる方向に設けられる。テザー４は、ブラケット５の前端部で支持されている。
2019198632.tif 000002
【特許請求の範囲】
【請求項１】
座席の、少なくとも背もたれ部の内部に設置されるエアバッグ装置であって、
基端側が前記背もたれ部の内部に設けたシートバックフレームに取り付けられ、先端側が前記背もたれ部から遠ざかる第１方向に展開するエアバッグと、
当該エアバッグの内部に設けられ、センサーからの信号を受信してガスを発生し、前記エアバッグを展開させるインフレータと、
前記シートバックフレームに取り付けられる一端と、展開状態における前記エアバッグの外側表面上の前記第１方向に向かって延び、前記エアバッグの前記先端側の部分に取り付けられる又は前記座席に取り付けられる、他端とを備えるテザーと、
前記シートバックフレームに取り付けられ、前記テザーの延びる方向に沿って設けられるブラケットと、
を有し、
前記テザーは、前記ブラケットの前端部で支持されていることを特徴とするエアバッグ装置。
【請求項２】
前記第１方向は、座席の背もたれ部から前方に遠ざかる方向であることを特徴とする請求の範囲第１項に記載のエアバッグ装置。
【請求項３】
前記テザーの前記一端は、前記ブラケットと前記シートバックフレームとによって挟まれるように構成されていることを特徴とする請求の範囲第１項又は第２項に記載のエアバッグ装置。
【請求項４】
前記ブラケットは、前端部に前記シートバックフレームに引掛けるフック部を形成したことを特徴とする請求の範囲第１項〜第３項の何れか１項に記載のエアバッグ装置。
【請求項５】
前記ブラケットは、前記インフレータのスタッドボルトを通す孔、或いは、スタッドボルトに嵌合するねじ孔を有していることを特徴とする請求の範囲第１項〜第４項の何れか１項に記載のエアバッグ装置。
【請求項６】
前記ブラケットは、前記シートバックフレームの側方部外側に設けられていることを特徴とする請求の範囲第１項〜第５項の何れか１項に記載のエアバッグ装置。
【請求項７】
前記ブラケットは、前記シートバックフレームの側方部内側に設けられていることを特徴とする請求の範囲第１項〜第５項の何れか１項に記載のエアバッグ装置。
【請求項８】
前記ブラケットは前記シートバックフレームの上縁部分に設けられていることを特徴とする請求の範囲第１項〜第５項の何れか１項に記載のエアバッグ装置。
【請求項９】
前記テザーは、前記エアバッグの乗員側に設けられていることを特徴とする請求の範囲第１項〜第８項の何れか１項に記載のエアバッグ装置。
【請求項１０】
前記エアバッグは、前記座席の背もたれ部の側方内部に設置されるサイドエアバッグであって、
前記テザーの前記一端が、前記エアバッグの前記基端側の部分に取り付けられ、前記テザーの前記他端が、展開状態における前記エアバッグの外側表面上の前記先端側の部分に取り付けられることを特徴とする請求の範囲第１項〜第９項の何れか１項に記載のエアバッグ装置。
【請求項１１】
前記サイドエアバッグは座席のドアから遠い側に設けられるものであることを特徴とする請求の範囲第１０項に記載のエアバッグ装置。
【請求項１２】
前記エアバッグは、前記座席に着座している乗員の頭部を上方から覆って延びる頭部保護チャンバと、当該乗員に対して横方向を保護する側部保護チャンバとを一体的に有するシュラウド型のエアバッグであることを特徴とする請求の範囲第１項〜第９項の何れか１項に記載のエアバッグ装置。
【請求項１３】
前記エアバッグは、前記座席の前記背もたれ部に少なくとも一部が収納されていて、該座席に着座した乗員の両方の側部で展開するエアバッグであって、
前記エアバッグの前記乗員とは反対側の側面を通って前記座席の前記背もたれ部から前記座席のシートクッション部に亘って収納されている１つ以上の張力布を備え、
前記張力布は、前記エアバッグの展開によって該座席の外部に展開し、前記シートバック部の上面から前記シートクッション部まで張り渡されることを特徴とする請求の範囲第１項〜第９項の何れか１項に記載のエアバッグ装置。
【発明の詳細な説明】
【技術分野】
【０００１】
本発明は、例えば、車両の衝突時、乗員を保護するため、車両に設置されるエアバッグ装置に関するものである。【０００２】
以下、本願において「上」「上方」とは正規の状態で座席に着座した乗員の頭部方向を、「下」「下方」とは同じく足元方向を意味する。また、「前」「前方」とは正規の状態で座席に着座した乗員の正面側の方向を、「後」「後方」とは同じく背面側の方向を意味する。また「左」「左方向」とは正規の状態で座席に着座した乗員の左手側の方向を、「右」「右方向」とは同じく右手側の方向を意味する。
【背景技術】
【０００３】
例えば、サイドエアバッグ装置は、車両が側面から衝突された時（以下、側面衝突時という。）に、衝撃が作用する方向への乗員の移動を抑制して乗員を保護する。当該サイドエアバッグ装置は、座席の背もたれ部（以下、シートバックという。）の側方内部に設置される。【０００４】
このサイドエアバッグ装置は、例えば側面衝突時、衝撃を検知したセンサーが発信する出力信号によりインフレータが作動してガスを発生し、座席に着座した乗員の側方にエアバッグを展開させる構成である。【０００５】
前記サイドエアバッグ装置をサイドドア側のニアサイドに設置した場合、展開後のエアバッグの座席から離れる方向への回転は、サイドドアによって防止される。しかしながら、前記サイドエアバッグ装置をサイドドアから遠いファーサイドに設置した場合、展開後のエアバッグの座席から離れる方向への回転側に、サイドドアのような当該回転を妨げる圧力壁が無い。従って、展開後のエアバッグを保持して前記回転を抑制する必要がある。【０００６】
ファーサイドにサイドエアバッグ装置を設置した場合、展開後のエアバッグの回転抑制は、例えば運転席と助手席に乗員が着座している場合に比べ、運転席のみに乗員が着座して助手席が空席の場合に特に必要である。【０００７】
そこで、展開後のエアバッグに乗員が衝突した際、当該エアバッグの前記座席から離れる方向への回転を抑制する構成のサイドエアバッグ装置が種々提案されている。【０００８】
例えば特許文献１には、一方端部を座席の上部位置に、他方端部をエアバッグの前方位置に連結した第１のテザーと、一方端部を座席の下部位置に、他方端部をエアバッグの前方位置に連結した第２のテザーを設けたサイドエアバッグ装置が開示されている。この特許文献１で開示されたサイドエアバッグ装置の場合、前記第１のテザーと前記第２のテザーによって、展開後のエアバッグを保持してエアバッグの座席から離れる方向への回転を抑制する。【０００９】
また、特許文献２には、シートフレームに固定した支持部材によってエアバッグの後端面を支持し、テザーによってエアバッグの先端側が座席から離れる方向に回転するのを規制するサイドエアバッグ装置が開示されている。この特許文献２で開示されたサイドエアバッグ装置の場合、支持部材とテザーによって展開後のエアバッグを保持し、エアバッグの前記座席から離れる方向への回転を抑制する。【００１０】
また、特許文献３には、エアバッグの展開に伴い、エアバッグと支持板間に架け渡されたストラップによって前記支持板を引っ張り、収納位置から突出位置まで回転させるように構成したサイドエアバッグ装置が開示されている。この特許文献３で開示されたサイドエアバッグ装置の場合、突出位置まで回転した前記支持板によって展開後のエアバッグを受け止め、当該エアバッグの座席から離れる方向への回転を抑制する。【００１１】
しかしながら、特許文献１，２で開示されたサイドエアバッグ装置の場合、テザーは、一端をエアバッグに、他端を座席（シートフレーム）に連結しただけで、テザーの中間部分では支持されていない。従って、展開後のエアバッグに乗員が衝突したとき、当該エアバッグの座席から離れる方向への回転は、前記テザーの座席（シートフレーム）との連結位置を支点として行われる。この場合、エアバッグの先端側を前記座席から離れる方向に回転させる力のモーメントが大きくなって前記回転を十分に抑制することができない。【００１２】
一方、特許文献３で開示されたサイドエアバッグ装置は、展開後のエアバッグを支持板で受け止めるので、特許文献１，２のような問題は生じないものと考えられる。しかしながら、インフレータを内部に設けたエアバッグ（以下、エアバッグモジュールという。）の設置とは別に、支持板及び当該支持板を回転可能に保持するブラケット等を設置する必要があるので、サイドエアバッグ装置の設置に必要な工数が増加する。
【先行技術文献】
【特許文献】
【００１３】
【特許文献１】特表２０１７−５１４７４６号公報
【特許文献２】特開２０１４−５４９５６号公報
【特許文献３】特開２０１１−１７８１８９号公報
【発明の概要】
【発明が解決しようとする課題】
【００１４】
本発明が解決しようとする問題点は以下の点である。
特許文献１，２で開示されたサイドエアバッグ装置の場合、展開後のエアバッグの座席から離れる方向への回転は、座席（シートフレーム）との連結位置が支点となるので、前記回転させる力のモーメントが大きくなって前記回転の抑制が十分ではない。【００１５】
また、特許文献３で開示されたサイドエアバッグ装置の場合、エアバッグモジュールの設置とは別に、支持板及び当該支持板を回転可能に保持するブラケット等を設置する必要があるので、サイドエアバッグ装置の設置に要する工数が増加する。
【課題を解決するための手段】
【００１６】
本発明は、前記課題を解決するもので、エアバッグ装置の設置に要する工数を増加せず、かつ、テザーによって展開後のエアバッグを効果的に保持し、展開後のエアバッグの座席から離れる方向への回転を可能な限り抑制することを目的としている。【００１７】
すなわち、本発明は、座席の、少なくとも背もたれ部の内部に設置されるエアバッグ装置である。【００１８】
前記エアバッグ装置は、基端側が前記背もたれ部の内部に設けたシートバックフレームに取り付けられ、先端側が前記背もたれ部から遠ざかる第１方向に展開するエアバッグと、当該エアバッグの内部に設けられ、センサーからの信号を受信してガスを発生し、前記エアバッグを展開させるインフレータを備えている。【００１９】
本発明では、前記シートバックフレームに取り付けられる一端と、展開状態における前記エアバッグの外側表面上の前記第１方向に向かって延び、前記エアバッグの前記先端側の部分に取り付けられる又は前記座席に取り付けられる、他端とを備えるテザーと、前記シートバックフレームに取り付けられ、前記テザーの延びる方向に沿って設けられるブラケットをさらに備えている。【００２０】
そして、前記テザーは、前記ブラケットの前端部で支持されていることが特徴である。【００２１】
すなわち、前記本発明では、テザーはブラケットの前端部で支持されているので、前記第１方向（例えば座席の背もたれ部から前方に遠ざかる方向）に展開した後のエアバッグが座席から離れる方向に回転するときの支点は、ブラケットの前端部となる。従って、前記回転力のモーメントが小さくなって、前記回転を効果的に抑制することができる。このとき、前記テザーの一端が、前記ブラケットと前記シートフレームとによって挟まれるように構成しておくことが好ましい。【００２２】
また、前記本発明では、エアバッグモジュールのシートバックフレームへの取り付けと同時に、ブラケットをシートバックフレームに取り付けることが可能となるので、設置に要する工数が増加することもない。【００２３】
前記ブラケットの前端部に前記シートバックフレームに引掛けるフック部を形成しておけば、シートバックフレームへの取り付け状態が安定する。【００２４】
また、前記ブラケットに、インフレータのスタッドボルトを通す孔或いは前記スタッドボルトと嵌合するねじ孔を設けておけば、シートバックフレームへの取り付けを容易に行うことができる。【００２５】
また、前記ブラケットは、シートバックフレームの側方部外側、側方部内側、上縁部分の何れに設けてもよい。なお、シートバックフレームの側方部内側とは側方部における座席の左右方向中央側を、シートバックフレームの側方部外側とは側方部における座席の左右方向反中央側をいう。また、シートバックフレームの上縁部分とは、シートバックフレームの側方部の上部、シートバックフレームの上部部材の何れかをいう。前記ブラケットをシートバックフレームの側方部外側に設けた場合、前記テザーはシートバックフレームとブラケットの間に位置することになる。一方、前記ブラケットをシートバックフレームの側方部内側に設けた場合、前記テザーはシートバックフレームとエアバッグの間に位置することになる。【００２６】
また、前記テザーを、前記エアバッグの乗員側に設けておけば、展開後のエアバッグが座席から離れる方向に回転するのを効果的に抑制することができる。【００２７】
本発明のエアバッグ装置は、サイドエアバッグ装置、乗員の頭部を覆う保護チャンバと乗員の側部を保護する側部保護チャンバを一体的に有するシュラウド型のエアバッグ装置、乗員の両側部を保護するエアバッグを有するエアバッグ装置に適用することができる。【００２８】
前記本発明がサイドエアバッグ装置の場合は、シートバックのファーサイドの側方、或いは、シートバックのニアサイドの側方の何れに設置してもよいが、ファーサイドに設置した場合により効果を発揮することができる。
【発明の効果】
【００２９】
本発明では、展開後のエアバッグに乗員が衝突した際、当該エアバッグの座席から離れる方向への回転を効果的に抑制することができるので、エアバッグによる乗員の保護機能が向上する。【００３０】
特に、前記回転を妨げる圧力壁（例えばサイドドア）が無い位置に設置するエアバッグに適用した場合に有効である。
【図面の簡単な説明】
【００３１】
【図１】本発明のエアバッグ装置を、ファーサイドのシートバックフレームに設置したサイドエアバッグ装置に適用した場合の、エアバッグの展開状態を示した斜視図である。
【図２】本発明のエアバッグ装置を、助手席のファーサイドのシートバックフレームに設置したサイドエアバッグ装置に適用した場合の、エアバッグの展開状態をサイドドア側から見た側面図である。
【図３】本発明のエアバッグ装置を構成するブラケットの一例を示す斜視図である。
【図４】（ａ）助手席のファーサイドのシートバックフレームに設置したサイドエアバッグ装置に適用した本発明のエアバッグ装置のエアバッグが展開した状態を上方から見た図、（ｂ）は（ａ）図のＡ部拡大図である。
【図５】テザーを例えば３本設けた場合の図２と同様の図である。
【図６】サイドエアバッグ装置に適用した本発明のエアバッグ装置の他の実施例を示す図４と同様の図である。
【図７】本発明のエアバッグ装置を、シュラウド型エアバッグ装置に適用した場合のエアバッグが展開した状態を示した斜視図である。
【図８】本発明のエアバッグ装置を、乗員の両側部に展開するエアバッグを有するエアバッグ装置に適用した場合の、エアバッグが展開した状態を示した斜視図である。
【発明を実施するための形態】
【００３２】
展開後のエアバッグに乗員が衝突した際、当該エアバッグの座席から離れる方向への回転を抑制する従来のサイドエアバッグ装置のうち、テザーによって前記回転を抑制するものは、回転力のモーメントが大きく、前記回転の抑制が十分ではない。
【００３３】
一方、支持板を突出位置まで回転させて前記回転を抑制するものは、エアバッグモジュールの設置とは別に、支持板及び当該支持板を回転可能に保持するブラケット等を設置する必要があるので、設置に要する工数が増加する。
【００３４】
本発明は、シートバックフレームに取り付けられる一端と、例えばエアバッグの外側表面上の展開方向先端側に取り付けられる他端を備えたテザーを、シートバックフレームに取り付けられたブラケットの前端部で支持することで、前記課題を解決するものである。
【実施例】
【００３５】
以下、本発明の実施例を、添付図面を用いて説明する。図１〜図４は本発明のエアバッグ装置をサイドエアバッグ装置に適用した場合の第１の実施例を説明する図である。【００３６】
本発明のサイドエアバッグ装置１は、シートクッションＳＣ、シートバックＳＢ、及びヘッドレストＨＲを有する座席Ｓの、シートバックＳＢの内部に取り付けられる。【００３７】
このサイドエアバッグ装置１は、エアバッグ２と、センサーからの出力信号を受信してその外側面から前記エアバッグ２の内部にガスを噴出する、例えば筒形状のインフレータ３を備えている。【００３８】
このうち、エアバッグ２は、前後方向よりも上下方向が長く形成され、車両の幅方向に厚みを有するように、袋状に形成した構成であり、例えば、展開状態における基端側２ａの内部に前記インフレータ３を配置している。【００３９】
また、前記インフレータ３の外側面には、長手方向に適宜の間隔を存して２本のスタッドボルト３ａが突出状に設けられている。そして、これらスタッドボルト３ａを用いて、前記エアバッグ２を前記シートバックＳＢの内部に取り付けている。具体的には、エアバッグ２は、座席Ｓの骨組みとして機能するシートフレームＳＦにおける、シートバックＳＢの内部に配置されるシートバックフレームＳＢＦの側方部ＳＢＦｓに取り付けられる。【００４０】
４は前記エアバッグ２の展開状態時に、エアバッグ２の外側表面上に取り付けるテザーである。このテザー４は、例えば、エアバッグ２の乗員Ｐと相対する側に取り付けられ、一端４ａ側に設けた孔４ｃにインフレータ３のスタッドボルト３ａを挿入して、前記エアバッグ２の外側表面上の前記基端側２ａの部分に取り付けている。また、他端４ｂを前方に向かって展開した状態における前記エアバッグ２の外側表面上の先端側２ｂの部分の下方に例えば接合している。【００４１】
５はブラケットであり、例えば、前端部に前記シートバックフレームＳＢＦの側方部ＳＢＦｓに引掛けるフック部５ａ及び前記テザー４が通り抜ける挿通部５ｂを形成している。また、後側に前記インフレータ３のスタッドボルト３ａを通す孔５ｃを有している。【００４２】
前記構成のエアバッグモジュールを前記シートバックフレームＳＢＦに取り付ける際、同時に前記ブラケット５を、例えば、前記テザー４の延びる方向に沿って、シートバックフレームＳＢＦの側方部ＳＢＦｓの外側に取り付ける。【００４３】
このブラケット５のシートバックフレームＳＢＦへの取り付けは、前記孔５ｃにインフレータ３のスタッドボルト３ａを通し、前記フック部５ａをシートバックフレームＳＢＦの側方部ＳＢＦｓの前端に引掛けることによって行う。【００４４】
この第１の実施例の場合、図４に示すように、前記テザー４はシートバックフレームＳＢＦの側方部ＳＢＦｓとブラケット５の間に位置し、前記ブラケット５の挿通部５ｂを通り抜けて前記エアバッグ２の先端側２ｂに例えば接合する。【００４５】
上記構成の第１の実施例では、スタッドボルト３ａをシートバックフレームＳＢＦの側方部ＳＢＦｓに設けた孔ＳＢＦｓａに挿入してエアバッグモジュールをシートバックフレームＳＢＦに取り付ける。その際、ブラケット５も同時にシートバックフレームＳＢＦに取り付けることができるので、設置に要する工数が増加することはない。【００４６】
また、例えば側面衝突により展開したエアバッグ２に乗員が衝突してエアバッグ２が座席Ｓから離れる方向に回転する場合、テザー４はブラケット５の挿通部５ｂを通り抜けた位置で支持される。そして、この支持される位置が支点となるので、前記回転力のモーメントが小さくなって、前記回転を効果的に抑制することができる。【００４７】
図１〜図４の第１の実施例では、前記テザー４は１本だけ設けているが、前記テザー４は１本に限らない。例えば図５に示したように、前記テザー４以外に２本のテザー６，７を設けたものでもよい。【００４８】
このうちテザー６は、一端６ａ側に設けた孔６ｃにインフレータ３のスタッドボルト３ａを挿入して、前記エアバッグ２の外側表面上の前記基端側２ａの部分に取り付ける。一方、他端６ｂは展開状態における前記エアバッグ２の外側表面上の先端側２ｂの部分の上方に結合する。【００４９】
このテザー６も、他端６ｂを前記エアバッグ２の先端側２ｂに結合しているので、前記テザー４と同様、ブラケット５を取り付けて当該ブラケット５の前端部でテザー６を支持させてもよい。【００５０】
一方、テザー７は、一端７ａ側を前記エアバッグ２の外側表面上の前記基端側２ａの部分に位置するヘッドレストＨＲ近傍のシートバックフレームＳＢＦの側方部ＳＢＦｓの上部に取り付ける。一方、他端７ｂは展開状態における前記エアバッグ２の外側表面上の前後方向の中央部の上方に結合する。【００５１】
このテザー７は、ヘッドレストＨＲ近傍のシートバックフレームＳＢＦの上縁部分となる側方部ＳＢＦｓの上部に取り付けたので、エアバッグ２をより乗員側に引き寄せる効果が高くなる。但し、その他端７ｂを前記エアバッグ２の前後方向の中央部に結合しているので、ブラケット５を取り付けて支持させる必要はない。【００５２】
また、図１〜図４の第１の実施例では、前記ブラケット５は前記シートバックフレームＳＢＦの側方部ＳＢＦｓの外側に設けたものを示している。しかしながら、例えば図６に示したように、前記シートバックフレームＳＢＦの側方部ＳＢＦｓの内側に前記ブラケット５を設けてもよい。この場合、ブラケット５に設ける孔はスタッドボルト３ａに嵌合するねじ孔５ｄとする。また、前記テザー４はシートバックフレームＳＢＦとエアバッグ２の間に位置することになり、テザー４はブラケット５の挿通部５ｂから通り抜ける。【００５３】
また、図１〜図６の実施例の場合、ブラケット５の前端部にフック部５ａを、後側にインフレータ３のスタッドボルト３ａを通す孔５ｃ或いはねじ孔５ｄを有するものを説明している。【００５４】
しかしながら、ブラケット５をシートバックフレームＳＢＦに取り付けることができる場合は、フック部５ａや孔５ｃ或いはねじ孔５ｄは必須ではない。また、前記ブラケット５の前端部で前記テザー４を支持できる場合は、挿通部５ｂに替えてブラケット５を例えば中空状に形成したものでも良い。また、ブラケット５をシートバックフレームＳＢＦの側方部ＳＢＦｓの内側に設ける場合は、ブラケット５の前端部をシートバックフレームＳＢＦの側方部ＳＢＦｓの前端からシートバックフレームＳＢＦの側方部ＳＢＦｓの外側に突出させることになる。この場合、当該突出させた部分で前記テザー４を支持できる構成が必要である。【００５５】
また、図１〜図６では本発明のサイドエアバッグ装置１をファーサイドに取り付ける場合について説明している。しかしながら、本発明のサイドエアバッグ装置１はファーサイドに取り付けるものに限らない。例えば、展開後のエアバッグの回転を妨げる圧力壁（ドア）が無いか、有っても運転席から遠いような車両（例えば運転席の両側が車両の縁となるような超小型モビリティー等）の座席に設置してもよい。【００５６】
本発明は上記の例に限らず、各請求項に記載された技術的思想の範疇であれば、適宜実施の形態を変更してもよいことは言うまでもない。【００５７】
すなわち、以上で述べたエアバッグ装置は、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は説明を目的としたもので、特に限定される主旨のない限り、それに限定されるものではない。【００５８】
例えば、図１〜図６は本発明をサイドエアバッグ装置に適用したものについて説明している。しかしながら、本発明は、サイドエアバッグ装置に適用する場合に限らない。【００５９】
図７は、乗員の頭部を保護する頭部保護チャンバ１２ａと、乗員の側部を保護する側部保護チャンバ１２ｂ，１２ｃを一体的に形成したエアバッグ１２を備えたシュラウド型のエアバッグ装置１１である。【００６０】
このエアバッグ装置１１の場合、衝突時、展開する頭部保護チャンバ１２ａが座席Ｓに着座している乗員の頭部を上方から覆い、乗員の両側部に展開する側部保護チャンバ１２ｂ，１２ｃが乗員の横方向への移動を拘束する。【００６１】
本発明は、このようなシュラウド型のエアバッグ装置１１にも適用することができる。当該エアバッグ装置１１に本発明を適用する場合、例えば、左右の側部保護チャンバ１２ｂ，１２ｃの乗員側の先端部分１２ｂａ，１２ｃａとシートバックフレームの側方部をテザー４で繋ぐ。一方、当該テザー４の延びる方向に沿うように、シートバックフレームの側方部にブラケット５を取り付ける。そして、当該ブラケット５の前端部で前記テザー４を支持させる。なお、シートバックフレームへのテザー４及びブラケット５の取り付け態様は、先に説明したサイドエアバッグ装置１の場合と同様である。【００６２】
この場合、衝突時、移動する乗員により展開した側部保護チャンバ１２ｂ又は１２ｃは座席Ｓから離れる方向へ回転するが、テザー４はブラケット５の前端部が支点となるので、前記回転力のモーメントが小さくなって、前記回転を効果的に抑制することができる。【００６３】
また、図８は、衝突時、座席Ｓに着座した乗員の両側部に展開させたエアバッグ２２ａ，２２ｂで乗員の移動を拘束する構成のエアバッグ装置２１であり、少なくとも前記エアバッグ２２ａ，２２ｂの一部が座席ＳのシートバックＳＢに収納されている。【００６４】
このエアバッグ装置２１は、エアバッグ２２ａ，２２ｂの展開時、乗員Ｐとは反対側の側面に、例えば第１張力布２３及び第２張力布２４がシートバックＳＢの上面からシートクッションＳＣに亘って張り渡される。このうち第１張力布２３は、エアバッグ２２ａ，２２ｂの乗員Ｐと反対側の前方側の面を保持する。また、第２張力布は、エアバッグ２２ａ，２２ｂの乗員Ｐと反対側の前後方向中間部分の面を保持する。【００６５】
図８では、衝突時、エアバッグ２２ａ，２２ｂが座席Ｓから露出するテザー２５を牽引してスライドリング２７を前方に移動し、第１と第２の張力布２３，２４を引っ張ってエアバッグ２２ａ，２２ｂを乗員Ｐに付勢させるものを示している。なお、２６は前記テザー２５と共に座席から露出する２つのスライドリング２７を連結するリンク部材である。【００６６】
本発明はこのようなエアバッグ装置２１に適用してもよい。この場合、例えば、左右のエアバッグ２２ａ，２２ｂの反乗員側を通って、座席ＳとシートバックフレームＳＢＦの上縁部分となる上部部材ＳＢＦｕ（図１，２を参照）をテザー４で繋ぐ。一方、当該テザー４の延びる方向に沿うように、シートバックフレームＳＢＦの上部部材ＳＢＦｕにブラケット５を取り付ける。そして、当該ブラケット５の前端部で前記テザー４を支持させる。【００６７】
この場合も、衝突時、移動する乗員Ｐにより展開したエアバッグ２２ａ又は２２ｂが座席Ｓから離れる方向へ回転するが、テザー４はブラケット５の前端部が支点となるので、前記回転力のモーメントが小さくなって、前記回転をより効果的に抑制できる。【００６８】
図７及び図８では、両側の側部チャンバ１２ｂ、１２ｃ、エアバッグ２２ａ，２２ｂに本発明を適用しているが、ファーサイドの側部チャンバ１２ｂ又は１２ｃ、エアバッグ２２ａ又は２２ｂに本発明を適用してもよい。【００６９】
また、図７ではエアバッグ１２の乗員側に、図８ではエアバッグ２２の反乗員側にテザー４を配置しているが、それぞれ、エアバッグ１２の反乗員側又はエアバッグ２２の乗員側にテザー４を配置してもよい。
【符号の説明】
【００７０】
１    サイドエアバッグ装置
２    エアバッグ
２ａ    基端側
２ｂ    先端側
３    インフレータ
３ａ    スタッドボルト
４    テザー
４ａ    一端
４ｂ    他端
５    ブラケット
５ａ    フック部
５ｂ    挿通部
５ｃ    孔
５ｄ    ねじ孔
１１    エアバッグ装置
１２    エアバッグ
１２ａ    頭部保護チャンバ
１２ｂ    側部保護チャンバ
１２ｂａ    先端部分
１２ｃ    側部保護チャンバ
１２ｃａ    先端部分
２１    エアバッグ装置
２２    エアバッグ
２３    第１張力布
２４    第２張力布
Ｓ  座席
ＳＢ    シートバック
ＳＢＦ    シートバックフレーム
ＳＢＦｓ    シートバックフレームの側方部
ＳＢＦｕ    シートバックフレームの上部部材
【図１】
2019198632.tif 000003
【図２】
2019198632.tif 000004
【図３】
2019198632.tif 000005
【図４】
2019198632.tif 000006
【図５】
2019198632.tif 000007
【図６】
2019198632.tif 000008
【図７】
2019198632.tif 000009
【図８】
2019198632.tif 000010
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
座席の、少なくとも背もたれ部の内部に設置されるエアバッグ装置であって、
基端側が前記背もたれ部の内部に設けたシートバックフレームに取り付けられ、先端側が前記背もたれ部から遠ざかる第１方向に展開するエアバッグと、
当該エアバッグの内部に設けられ、センサーからの信号を受信してガスを発生し、前記エアバッグを展開させるインフレータと、
前記シートバックフレームに取り付けられる一端と、展開状態における前記エアバッグの外側表面上の前記第１方向に向かって延び、前記エアバッグの前記先端側の部分に取り付けられる又は前記座席に取り付けられる、他端とを備えるテザーと、
前記シートバックフレームに取り付けられ、前記テザーの延びる方向に沿って設けられるブラケットと、
を有し、
前記テザーは前記ブラケットの前端部で支持されており、前記ブラケットは前端部に前記シートバックフレームに引掛けるフック部を形成していることを特徴とするエアバッグ装置。
【請求項２】
前記ブラケットは、前記シートバックフレームの側方部外側に設けられていることを特徴とする請求項１に記載のエアバッグ装置。
【請求項３】
前記ブラケットは、前記シートバックフレームの上縁部分に設けられていることを特徴とする請求項１に記載のエアバッグ装置。
【請求項４】
座席の、少なくとも背もたれ部の内部に設置されるエアバッグ装置であって、
基端側が前記背もたれ部の内部に設けたシートバックフレームに取り付けられ、先端側が前記背もたれ部から遠ざかる第１方向に展開するエアバッグと、
当該エアバッグの内部に設けられ、センサーからの信号を受信してガスを発生し、前記エアバッグを展開させるインフレータと、
前記シートバックフレームに取り付けられる一端と、展開状態における前記エアバッグの外側表面上の前記第１方向に向かって延び、前記エアバッグの前記先端側の部分に取り付けられる又は前記座席に取り付けられる、他端とを備えるテザーと、
前記シートバックフレームに取り付けられ、前記テザーの延びる方向に沿って設けられるブラケットと、
を有し、
前記テザーは前記ブラケットの前端部で支持されており、前記ブラケットは前記シートバックフレームの側方部内側に設けられていることを特徴とするエアバッグ装置。
【請求項５】
前記ブラケットは、前端部に前記シートバックフレームに引掛けるフック部を形成したことを特徴とする請求項４に記載のエアバッグ装置。
【請求項６】
前記第１方向は、座席の背もたれ部から前方に遠ざかる方向であることを特徴とする請求項１〜５の何れか１項に記載のエアバッグ装置。
【請求項７】
前記テザーの前記一端は、前記ブラケットと前記シートバックフレームとによって挟まれるように構成されていることを特徴とする請求項１〜６の何れか１項に記載のエアバッグ装置。
【請求項８】
前記ブラケットは、前記インフレータのスタッドボルトを通す孔、或いは、スタッドボルトに嵌合するねじ孔を有していることを特徴とする請求項１〜７の何れか１項に記載のエアバッグ装置。
【請求項９】
前記テザーは、前記エアバッグの乗員側に設けられていることを特徴とする請求項１〜８の何れか１項に記載のエアバッグ装置。
【請求項１０】
前記エアバッグは、前記座席の背もたれ部の側方内部に設置されるサイドエアバッグであって、
前記テザーの前記一端が、前記エアバッグの前記基端側の部分に取り付けられ、前記テザーの前記他端が、展開状態における前記エアバッグの外側表面上の前記先端側の部分に取り付けられることを特徴とする請求項１〜９の何れか１項に記載のエアバッグ装置。
【請求項１１】
前記サイドエアバッグは座席のドアから遠い側に設けられるものであることを特徴とする請求項１０に記載のエアバッグ装置。
【請求項１２】
前記エアバッグは、前記座席に着座している乗員の頭部を上方から覆って延びる頭部保護チャンバと、当該乗員に対して横方向を保護する側部保護チャンバとを一体的に有するシュラウド型のエアバッグであることを特徴とする請求項１〜９の何れか１項に記載のエアバッグ装置。
【請求項１３】
前記エアバッグは、前記座席の前記背もたれ部に少なくとも一部が収納されていて、該座席に着座した乗員の両方の側部で展開するエアバッグであって、
前記エアバッグの前記乗員とは反対側の側面を通って前記座席の前記背もたれ部から前記座席のシートクッション部に亘って収納されている１つ以上の張力布を備え、
前記張力布は、前記エアバッグの展開によって該座席の外部に展開し、前記シートバック部の上面から前記シートクッション部まで張り渡されることを特徴とする請求項１〜９の何れか１項に記載のエアバッグ装置。
【手続補正２】
【補正対象書類名】明細書
【補正対象項目名】００２０
【補正方法】変更
【補正の内容】
【００２０】
そして、例えば、前記テザーは前記ブラケットの前端部で支持されており、前記ブラケットは前端部に前記シートバックフレームに引掛けるフック部を形成していることが特徴である。
【手続補正３】
【補正対象書類名】明細書
【補正対象項目名】００２３
【補正方法】変更
【補正の内容】
【００２３】
また、前記本発明では、前記ブラケットの前端部に前記シートバックフレームに引掛けるフック部を形成しているので、シートバックフレームへの取り付け状態が安定する。
【手続補正４】
【補正対象書類名】明細書
【補正対象項目名】００２５
【補正方法】変更
【補正の内容】
【００２５】
また、前記ブラケットは、シートバックフレームの側方部外側、側方部内側、上縁部分の何れに設けてもよい。但し、シートバックフレームの側方部内側に設ける場合、前記ブラケットの前端部に前記シートバックフレームに引掛けるフック部を形成することは必須の要件としなくてもよい。なお、シートバックフレームの側方部内側とは側方部における座席の左右方向中央側を、シートバックフレームの側方部外側とは側方部における座席の左右方向反中央側をいう。また、シートバックフレームの上縁部分とは、シートバックフレームの側方部の上部、シートバックフレームの上部部材の何れかをいう。前記ブラケットをシートバックフレームの側方部外側に設けた場合、前記テザーはシートバックフレームとブラケットの間に位置することになる。一方、前記ブラケットをシートバックフレームの側方部内側に設けた場合、前記テザーはシートバックフレームとエアバッグの間に位置することになる。
【手続補正５】
【補正対象書類名】図面
【補正対象項目名】図５
【補正方法】変更
【補正の内容】
【図５】
2019198632.tif 000011
【手続補正６】
【補正対象書類名】図面
【補正対象項目名】図６
【補正方法】変更
【補正の内容】
【図６】
2019198632.tif 000012
【国際調査報告】
2019198632.tif 000013
2019198632.tif 000014
2019198632.tif 000015
2019198632.tif 000016